Podtech/llm-jp-corpus-v4-ja_patent huggingface dataset:
(57)【要約】【課題】  便利に着脱できるタイヤ構造を提供する。【解決手段】  タイヤ体１、ホイール２、拘束円弧塊３及び固定部品から構成されている。タイヤ体１は、中央が空洞のホイール孔１１が設置され、ホイール孔１１には径方向に伸びる停止壁１２が設置され、停止壁１２には軸向きに固定凸１３が設置されている。ホイール２は、外周に定位槽２１１が設置され、定位槽２１１には固定孔２１２が設置されている。拘束円弧塊３は、固定孔２１２に対応して定位孔３１が貫設されている。タイヤ体１にホイール２を嵌合し、停止壁１２及び固定凸１３は拘束円弧塊３によって定位槽２１１にしっかりと定位され、固定部品を定位孔３１及び固定孔２１２に通してタイヤ体１をホイール２に固定する。したがって、タイヤ構造は、特別な工具を使うことなく、通常車に乗せている工具だけで着脱できる。【選択図】    図１
0003108191.tif 000002
【実用新案登録請求の範囲】
【請求項１】
タイヤ体、ホイール、拘束円弧塊及び固定部品から構成されているタイヤ構造において、
タイヤ体には、中央が空洞のホイール孔が設置され、ホイール孔には径方向に伸びる停止壁が設置され、停止壁には軸向きに固定凸が設置され、
ホイールには、外周に定位槽が設置され、定位槽には固定孔が設置され、
拘束円弧塊は、定位槽の固定孔に対応して定位孔が貫設され、
タイヤ体にホイールを嵌合し、タイヤ体の停止壁及び固定凸は拘束円弧塊によってホイールの定位槽に定位され、固定部品を拘束円弧塊の定位孔及び定位槽の固定孔に通してタイヤ体がホイールに固定されることを特徴とするタイヤ構造。
【請求項２】
前記固定部品は、ねじおよびナットであり、ねじを拘束円弧塊の定位孔及び定位槽の固定孔に通し、ナットで螺合することを特徴とする請求項１記載のタイヤ構造。
【請求項３】
前記拘束円弧塊は、その両端部に掛合凸が設置され、二つの拘束円弧塊が相互に掛合する時、嵌合して定位することを特徴とする請求項１記載のタイヤ構造。
【請求項４】
前記拘束円弧塊は、階段面が設置されていることを特徴とする請求項１記載のタイヤ構造。
【考案の詳細な説明】
【技術分野】
【０００１】
本考案は、タイヤ構造に関するもので、タイヤとホイールを拘束円弧塊及び固定部品によって組み立てることにより、特別な工具を使うことなく、通常車に乗せている工具だけで着脱するものである。
【背景技術】
【０００２】
全地形万能車（ＡＴＶ）は、タイヤが一般の路面用タイヤに比べて幅広で柔らかいため、砂上で地面を掴む力が強くなるが、砂上には割れた貝殻、木の枝またはガラスの破片等の鋭利なものが落ちていることがよくある。そのため、幅広で柔らかいタイヤに穴が開き、パンクしてしまう。その場合、小さな穴であれば、補修することもできるが、穴が大きかったり、いくつも開いてしまった場合は、タイヤを交換しなければならない。
【０００３】
しかし、ＡＴＶ車のタイヤは、タイヤとホイールが組み合わさった構造で、一般道用タイヤと同じく嵌合構造である。この嵌合構造は、特殊工具（金梃）で外さなければならない。そのため、通常車に乗せている工具（六角もしくは内六角スパナ）で取り外しができず、不便である。
【考案の開示】
【考案が解決しようとする課題】
【０００４】
解決しようとする問題点は、一般の工具でタイヤの交換ができず、特殊工具でないと交換できない点である。
したがって、本考案は、一般の工具でタイヤの交換が可能なタイヤ構造を提供することにある。
【課題を解決するための手段】
【０００５】
本考案は、タイヤ体、ホイール、拘束円弧塊及び固定部品から構成される。そのうち、タイヤ体は中空でホイール孔が成形され、ホイール孔には径方向に停止壁が設置され、停止壁の軸方向外向きには固定凸が設置され、ホイールの外周には定位槽が設置され、そこに固定孔が貫設される。拘束円弧塊には定位槽の固定孔に対応する定位孔が設置される。タイヤ体をホイールに被せ、タイヤ体の停止壁及び固定凸が拘束円弧塊によってホイールの定位槽に定位し、固定部品を拘束円弧塊の定位孔及び定位槽の固定孔に挿し込み、タイヤ体をホイールに固定することを最も主要な特徴とする。
【０００６】
本考案のタイヤ構造は、タイヤとホイールを拘束円弧塊及び固定部品によって組み立てることにより、特別な工具を使うことなく、通常車に乗せている工具だけで着脱するという利点がある。
【考案を実施するための最良の形態】
【０００７】
（実施例１）
図１に示すとおり、本考案の一実施例によるＡＴＶ車（全地形万能車）のタイヤ構造は、タイヤ体１、ホイール２、拘束円弧塊３及び固定部品から構成され、固定部品にはねじ４及びナット５を含む。
【０００８】
タイヤ体は、中空でホイール孔１１が設置され、且つホイール孔１１の孔縁には停止壁１２が成形され、更に停止壁１２の端部は軸方向外側に固定凸１３が成形される。
ホイール２は、その両端に定位段２１が成形され、定位段２１の外周には定位槽２１１が設置される。定位槽２１１上には複数の固定孔２１２が設置される。
【０００９】
拘束円弧塊３上には定位槽２１１上に設置された固定孔２１２に対応する定位孔３１が設置され、且つその内環周辺の凹んだ階段面３２によって、突出した係止凸３３が形成される。
【００１０】
組み立て時、図２に示すとおり、ホイール２を軸向きにタイヤ体１のホイール孔１１内に入れる。このタイヤ体１の停止壁１２は径方向に定位槽２１１の内壁に当たり、固定凸１３が定位槽２１１の壁面上で止まる。また、２本の拘束円弧塊３の係止凸３３はホイール２の端部の定位槽２１１内に納置され、固定部品のねじ４を定位孔３１及び定位槽２１１の固定孔２１２に挿し込み、固定部品のナット５で止める。拘束円弧塊３の外周がタイヤ体１の停止壁１２を定位槽２１１の側壁面で止め、また、固定凸は環内周辺縁の階段面３２で止まって定位槽２１１内で固定されるため、タイヤ体１はホイール２上でしっかりと定位される。使用には、車に乗せている工具（例として、内六角スパナ）で着脱するので、便利である。
【００１１】
（実施例２）
図３に示すのは、本考案の他の実施例で、拘束円弧塊３Ａの端部は元の幅の掛合凸３３Ａより小さい。そのため、タイヤ体１に設置すると、隣合う拘束円弧塊３Ａの端部である掛合凸３３Ａが相互に噛み合った掛合形態を形成し、ホイール２上の定位がより確実である。
【図面の簡単な説明】
【００１２】
【図１】本考案の一実施例によるタイヤ構造を示す分解斜視図である。
【図２】本考案の一実施例によるタイヤ構造を示す断面図である。
【図３】本考案の他の実施例によるタイヤ構造を示す斜視図である。
【符号の説明】
【００１３】
１  タイヤ体、２  ホイール、３  拘束円弧塊、３Ａ  拘束円弧塊、４  ねじ、５  ナット、１１  ホイール孔、１２  停止壁、１３  固定凸、２１  定位段、３１  定位孔、３２  階段面、３３  係止凸、３３Ａ  掛合凸、２１１  定位槽、２１２  固定孔、
【図１】
0003108191.tif 000003
【図２】
0003108191.tif 000004
【図３】
0003108191.tif 000005
(57)【要約】      （修正有）【課題】  食品包装用ラップフィルムを収容箱から引き出す際にロールが浮き上がり飛び出してしまう事を防止するロール留め具を提供する。【解決方法】  ラップ収容箱５の短辺側に内接するスリットを設け、中心よりロール３の直径に外接する円型切り欠き２やＵ字型切り欠き１を設けることでロール３の両端に装着すると回転摩擦抵抗やラップフィルム４の接触摩擦抵抗を軽減することが出来る。【選択図】図３
0003108200.tif 000002
【実用新案登録請求の範囲】
【請求項１】
食品包装用ラップフィルム（４）の収容箱（５）の短辺側の両端に入れ、ロール（３）の飛び出し防止用に効果があるＵ字型切り欠き（１）を設けたスリット状の食品用ラップのロール留め具
【請求項２】
食品包装用ラップフィルム（４）の収容箱（５）の短編側の両端に入れ、ロール（３）の飛び出し防止用に効果がある円型切り欠き（２）を設けたスリット状の食品用ラップのロール留め具
【考案の詳細な説明】
【考案の詳細な説明】
【技術分野】
【０００１】  この考案は、食品を包装するためのラップフィルムを  その収容箱から引き出す際に生じるロールの飛び出しを防止する留め具に関するものである。
【背景技術】
【０００２】  従来よりラップフィルムの収容箱の短辺側の両端に切り込みを入れ、内側に折り曲げる事でロールを押さえる役割をする収容箱はあった。
【考案が解決しようとする課題】
【０００３】  これは次のような欠点があった。
（イ）内側に折り曲げた切り込み自体がロールの摩擦抵抗になっている。
（ロ）ロール自身が箱の中心に無いとフィルムと箱との摩擦抵抗が生じる。
（ハ）引き出す力がスムーズにロール回転力に変換出来ないと飛び出し力になる。
（ニ）飛び出したラップロールは不衛生状態に晒される。
本考案は、以上の欠点を解決するために考案されたものである。
【課題を解決するための手段】
【０００４】  ラップ収容箱（５）の短辺側に内接するスリットを設け、中心よりロール（３）の直径に外接するＵ字型切り欠き（１）や、円型切り欠き（２）を設けた摩擦抵抗の少ない食品用ラップのロール留め具である。
本考案は、以上の構成よりなる。
【考案を実施するための最良の形態】
【０００５】  以下、本考案の実施の形態を説明する。
（イ）ラップ収容箱（５）の短辺側に内接する摩擦抵抗の少ないスリットを設ける。
（ロ）このスリットの中心からロール（３）の直径より数ミリ大きい円を繰り抜き円型切り欠き（２）とする。また、一辺に切り欠きを設けることでＵ字型切り欠き（１）に加工される。
（ハ）Ｕ字型切り欠き（１）や円型切り欠き（２）は、摩擦抵抗が少ないように面取り加工される。
（ニ）このスリットを両端用に２枚用意する。
本考案は、以上のような構成でなっている。
本考案を使用する時は、ロール（３）の両端とラップ収容箱（５）との隙間に各々装着し、収容箱（５）の蓋の耳部分に収容されるのでロール（３）が飛び出すのを防止できる。
【考案の効果】
【０００６】  本考案を使用することで、ロール（３）の回転摩擦が軽減され尚且つロール（３）を中心に保つことでラップ収容箱（５）とラップフィルム（４）との接触摩擦抵抗を極力少なくすることが出来る。
【図面の簡単な説明】
【図１】  本考案の斜視図（１）
【図２】  本考案の斜視図（２）
【図３】  本考案の使用状態を示す斜視図
【符号の説明】
１  Ｕ字型切り欠き
２  円型切り欠き
３  ロール
４  ラップフィルム
５  収容箱
【図１】
0003108200.tif 000003
【図２】
0003108200.tif 000004
【図３】
0003108200.tif 000005
(57)【要約】【課題】  一般に使用されている裁縫用の糸巻きは、左右に曲面を設けた本体の間に縫い糸を巻き、この曲面の一ヶ所に糸止め用の切込みを設けた糸巻きが使用されている。このため糸を引出した後の糸止めが、切込みを探すという手間がかかっていた。【解決手段】  本考案は、糸巻き本体の左右又は左右上下に糸誘導面ａを設け、この下方終端に糸止め用の切込みを設けるもので、糸使用後は、この糸端を持って誘導面に当てて、糸を引くことによって自然に糸は止まる。【選択図】  図３
0003108161.tif 000002
【実用新案登録請求の範囲】
【請求項１】
直線状の本体（１）に糸透導面ａを左右に、又は左右上下に設け、この糸透導面ａの下方終端に糸止め用の切込み（２）を設けたことを特徴とした糸巻き。
【考案の詳細な説明】
【技術分野】
【０００１】
本考案は家庭で使用する裁縫用の糸巻きに関する。
【背景技術】
【０００２】
従来一般に使用されている糸巻きは、左右（上下）に曲面を設けた本体の間に縫い糸を巻き、この曲面に糸止め用の切込みを設けた糸巻きが使用されている。
【特許文献１】特開平８−１８２８８６号公報
【考案の開示】
【考案が解決しようとする課題】
【０００３】
糸巻き付け用の本体（１）の左右（上下）の曲面に糸止め用の切込みを設けてあるため、糸を引出した後の糸止めが、曲面に設けた切込みを探して糸止めを行うため手間がかかるという欠点を有していた。
【課題を解決するための手段】
【０００４】
出願人はこの点に鑑み、試作研究を続けた結果本考案に到達したものであって、本考案は糸巻きの本体（１）の左右、又は左右上下に糸誘導面ａを設け、この下方終端に糸止め用の切込み（２）を設けるものであって、糸使用後は、この糸端を持って本体（１）の誘導面ａに当てて糸を引くことによって、糸端は自然と切込み（２）に進入して糸止めが終
了する。
【考案の効果】
【０００５】
上述のように本考案の糸巻きは、糸巻き本体に対して左右両側、又は左右上下に直線状に設けた誘導面ａを形成することによって、単に糸を引くだけで極めて簡単に糸の終端を止めることができる。
【考案を実施するための最良の形態】
【０００６】
添付図面により本考案の実施のための最良の形態を説明すると、図１は糸誘導面ａが左右両側に設けた糸巻き本体の実施例図であり、図２は糸誘導面ａが左右上下の４面設けた糸巻き本体の実施例図である。
【実施例】
【０００７】
図において本考案の糸巻きを説明すると図１において、（１）は糸巻きの本体であって、形状的にネコに似ているのでネコ型と仮称する。このネコ型本体（１）の左右の耳に相当する外側に直線部を設けて糸誘導面ａを形成する。そしてこの糸誘導面ａの下方終端に切込み（２）を設けて糸止めとする。
【０００８】
図２は糸巻き本体（１）の形状がカメに似ているのでカメ型と仮称する。このカメ型本体（１）は左右上下４本の足に相当する外側に直線部を設けて糸誘導面ａを形成する。そして図１として同様にこの糸誘導面ａの下方終端に切込み（２）を設けて糸止めとする。      
【０００９】
本考案の糸巻きの作用を図３により説明する。図１はネコ型の糸巻きの実施例であって、糸使用後、糸を指でつまみ、この糸を誘導面ａに押しあてながら下方に矢印のように糸を引きよせると、糸は誘導面ａに従って自然と滑るように糸止めの切込み（２）に移動して止る。
【００１０】
上記はネコ型の糸巻きについて説明したが、図２のカメ型も同様に糸を指でつまみ、糸を誘導面ａに当てれば糸は自然と糸止めの切込み（２）に移動するものである。ネコ型は２個の糸止めを、カメ型は４個の糸止めを左右に設けるものであって、左利きの人、右利きの人に関係なく誰でも簡単に糸止めを行うことができる。
【産業上の利用可能性】
【００１１】
本考案の糸巻きは、糸止めの処理がし易く、しかも形状的にもネコ型、カメ型と可愛く形成されていてこの利用度は大きい。
【図面の簡単な説明】
【００１２】
【図１】糸巻き本体の正面図
【図２】別の糸巻きの実施例図
【図３】作用を示す実施例図
【図４】従来の糸巻き
【符号の説明】
【００１３】
１  糸巻き本体
２  糸止め用切込み
ａ  誘導面
【図１】
0003108161.tif 000003
【図２】
0003108161.tif 000004
【図３】
0003108161.tif 000005
【図４】
0003108161.tif 000006
(57)【要約】      （修正有）【課題】手押し四輪台車の運搬作業時に問題となる路肩の段差越えをスムースに行える様にすることである。【解決手段】手押し四輪台車１の前輪２の両輪中間から台車前進方向え一車輪程度前の位置に歯車型車輪３の軸受け装置を設置し台車が路肩段差に突き当たった時まず初めに段４の角部を歯車型車輪３の凹部分６が受け推力７により段の角が凹のカーブに沿う様に滑って歯車型車輪３に回転を与えることになり次の凸の頂点５が段４の上に乗り上げ台車に浮力８を与え前輪２が段の上に容易に登れる様にする。【選択図】図１
0003108107.tif 000002
【実用新案登録請求の範囲】
手押し四輪台車の前輪の二輪の中心から前進方向へ一車輪位前に歯車型車輪を取り付ける事で四輪だけでは昇る事に苦労する段差も楽に乗り上げる事の出来る装置。
【考案の詳細な説明】
【技術分野】
【０００１】  本考案は手押し四輪台車が段差の有る道路でもスムースに走ることが出来るためのものである。
【背景技術】
【０００２】  手押し四輪台車は車輪が小さい為下り勾配なぞで積んだ荷が重かったりすると低い段差でも乗り上げる事に苦労する
【考案の開示】
【考案が解決しようとする課題】
【０００３】  道路はどこでも水捌けの為中央から路肩に向かつて下り坂になつており水止めの為高低の差は有るが段が設けられている
トラック等から荷を台車に下ろし運ぶ時はこの水止めの段に突き当たる、その場合は台車前輪が坂に落ち込み台車は頭を下げた状態になり荷が重いと重心が前に掛かり車輪が小さい為３・４センチ位の段でも上がる事に苦労する。
【課題を解決するための手段】
【０００４】  本考案は図１に見られる様な歯車型車輪装置を手押し四輪台車前輪の前に取り付ける事で段差の乗り上げ問題を解決することが出来る。
なぜなら、手押し四輪台車が段差のあるところへ直角に突き当たつた場合段の角が前輪の前にある歯車型車輪の凹の所に当たり前進する力で歯車型車輪が回転し次の凸の先端が段の上に乗り上げる事により台車の前部を持ち上げ前輪を段の上に昇り易くする。
【考案の効果】
【０００５】  重い荷を乗せた手押し四輪台車が路肩で段を上ろうとする時は現在使用されている台車では人が後部に片足を乗せ体重を掛けて前輪を持ち上げるかそれが出来ない場合は前に回り人力で前部を段の上に持ち上げなければならない。だが本考案を用いる事によりその作業を省く事が出来る。
【考案を実施するための最良の形態】
【０００６】  手押し四輪台車前輪の両輪の中心から前進方向へ一車輪程前になる位置に中心を持つ歯車型車輪の軸受け装置を取り付ける。その場合歯車車輪は台車の走行の邪魔にならない様に地面に接触しない程度の寸方とする。また歯車軸受け装置は台車の前車輪の様に首を振る必要は無く歯車車輪は台車の前後方向のみの回転にする。
【実施例】
【０００７】  以下、添付図に従って、実施例を説明する。１は台車本体、２は台車前輪、３は歯車型車輪、４は段で歯車型車輪に当たる前と後、５は歯車型車輪の凸部頂点で段に当たる前と後、６は歯車車輪の凹部で段の角に当たる前の箇所と後、７は台車の推進方向、８は台車の浮力方向を示す。【０００８】  台車の推力で４、段の角が６、歯車型車輪の凹部に当たり角が凹に沿って滑る事に依り３、歯車型車輪に回転を与え次の５、歯車凸部が４、段の上に乗り上げる事により１、台車本体に浮力を与え，続く２、前輪が容易に段に上がることを可能にする。【０００９】  本考案は上述の如き如き構成から成り構造が単純なので殆ど故障など無く、歯車型車輪本体は樹脂系材を使用しているので段等に当たる衝撃は吸収されて衝突音も小さい。
【図面の簡単な説明】
【００１０】
【図１】手押し台車の前輪部分の側面図。
【図２】手押し台車の前輪部分の正面図。
【符号の説明】
【００１１】  １  台車本体
２  台車前輪
３  歯車型車輪
４  段（歯車型車輪に当たる前と後）
５  歯車型車輪凸部（段に当たる前と後）
６  歯車型車輪凹部（段に当たる前と後）
７  台車推力方向
８  台車浮力方向
【図１】
0003108107.tif 000003
【図２】
0003108107.tif 000004
(57)【要約】      （修正有）【課題】農作物と共に繁茂する雑草を取る作業を腰掛けたまま行い、腰掛けたまま移動し、体力の消耗を抑え、長時間の農作業を可能にする人力走行草取り車を提供する。【解決手段】背もたれ３のついた腰掛台１に車輪をつけ、更に日除け４をつけた人力走行草取り車に腰を掛け、腰掛けたまま左右の手で左右の畝の雑草を取り、更に脚力によって後方に押して人力走行草取り車を移動せしめ、連続して雑草を取ることを可能とした。【選択図】図１
0003108105.tif 000002
【実用新案登録請求の範囲】
【請求項１】
車輪のついた腰掛け台に背もたれを設け、更に日除けを設けたことを特徴とする草取り車。
【考案の詳細な説明】
【考案の詳細な説明】
【技術分野】
【０００１】  本考案は、農作物育成の際作物と共に繁茂する雑草を、除草剤等を使用せず、人手に依って草取りする際に使用する用具に関するものである。
【背景技術】
【０００２】  農作業の内、草取り作業は足を曲げ、腰をかがめての作業となる為、最も難儀な作業である。その為、除草剤等の有害化学薬品の散布が行われ、農作業者にも消費者にも潜在的弊害をもたらしてきた。
【考案が解決しようとする課題】
【０００３】  本考案の目的は、上記従来の問題点に鑑みてなされたもので、足を曲げ、腰をかがめることなく、椅子に座ったままで雑草取り作業が出来るよう考案した人力走行草取り車を提供することにある。
【課題を解決する為の手段】
【０００４】  上記目的を達成するために、本考案は車輪のついた腰掛台に背もたれを設け、更に日除けを設けた腰掛台に腰掛けて草取り作業を行うことにより、腰をかがめ曲げた足で体重を支えることから解放され長時間の作業が可能となる。
車の移動は、足で大地を踏まえ体を後ろへ押し出すことにより、体が背もたれを押して後方へ移動する。
【考案を実施するための最良の形態】
【０００５】  本考案の実施の形態について図面を参照して説明する。但し、以下の説明は、本考案の実施の形態を説明するためのものであり、本考案を限定するものではない。【０００６】  図１は本考案の人力走行草取り車の斜視図である。
背もたれ３の付いた腰掛台１に車輪２を付け、更に日除け４を取り付けた基本構造からなる。作業者は腰掛台１に腰掛け、左右の手で左右の畝の雑草を取る。しかる後、脚力をもって人力走行草取り車を後方に押しやり、連続して草取り作業を行うことが出来る。
【考案の効果】
【０００７】  本考案の人力草取り車は人力走行草取り車に人が腰掛けて草取り作業をすることにより、体重を足に掛けることなく、また座ったままでの移動を可能にし、草取りによる体力の消耗を低減させ、高齢者並びに身体障害者でも草取り作業を可能にする等の大きな効果をあげる事が出来る。
【図面の簡単な説明】
【図１】  本考案の人力走行草取り車の斜視図である。
【符号の説明】
１．  腰掛台
２．  車輪
３．  背もたれ
４．  日除け
５．  把手及び道具置台
【図１】
0003108105.tif 000003
(57)【要約】【課題】好ましい体裁と雰囲気とを備えたつるし雛を提供する。【解決手段】吊持手段（１）に垂下紐（３）を介して多数の雛（５）を吊持させてなるつるし雛において、該吊持手段（１）は、枠体（７）に吊下紐（９）を取り付け、該枠体（７）と吊下紐（９）とをカバー（１１）により包囲させてなることを特徴とするつるし雛。吊持手段（１）に吊持される雛（５）は、雛人形のみならず、例えば動物、玩具、道具、乗り物、衣類、食物、建築物等を模して形成された飾り具をも含む。【選択図】図１
0003108110.tif 000002
【実用新案登録請求の範囲】
【請求項１】
吊持手段に垂下紐を介して多数の雛を吊持させてなるつるし雛において、
該吊持手段は、枠体に吊下紐を取り付け、該枠体と吊下紐とをカバーにより包囲させてなることを特徴とするつるし雛。
【考案の詳細な説明】
【技術分野】
【０００１】
本考案は、つるし雛に関するものであり、特に、垂下紐を介して多数の雛を吊り持つ、つるし雛における吊持手段に係るものである。
【０００２】
本考案において、吊持手段に吊持される雛は、雛人形のみならず、例えば動物、玩具、道具、乗り物、衣類、食物、建築物等を模して形成された飾り具をも含むものとする。
【背景技術】
【０００３】
吊持手段に垂下紐を介して多数の雛を吊持させてなるつるし雛は、既に知られている。
【０００４】
従来のつるし雛における吊持手段としては、環状体に吊下紐を取り付けてなるものが一般に使用されている。
【０００５】
なお、本出願人及び本考案者は、つるし雛における吊持手段に関する先行技術文献情報を有していない。
【考案の開示】
【考案が解決しようとする課題】
【０００６】
上記従来のつるし雛における吊持手段は、環状体に吊下紐を取り付けてなるものに過ぎないため、該環状体と吊下紐とが常時露出している。吊持手段における環状体と吊下紐とが常時露出している状態は、体裁上好ましいものではなく、つるし雛としての雰囲気を損なうという謗りを免れないものである。
【０００７】
本考案は、上記従来のつるし雛における上述の如き問題を解決し、好ましい体裁と雰囲気とを備えたつるし雛を提供しようとしてなされたものである。
【課題を解決するための手段】
【０００８】
上記課題を解決するために、本考案は下記のつるし雛を提供する。
【０００９】
吊持手段に垂下紐を介して多数の雛を吊持させてなるつるし雛において、
該吊持手段は、枠体に吊下紐を取り付け、該枠体と吊下紐とをカバーにより包囲させてなることを特徴とするつるし雛。
【考案の効果】
【００１０】
本考案によれば、吊持手段における枠体と吊下紐とをカバーにより包囲させているため、該枠体と吊下紐とがカバーの内側に位置する。従って、つるし雛は好ましい体裁と雰囲気とを備えたものとなる。
【考案を実施するための最良の形態】
【００１１】
本考案のつるし雛は、吊持手段１に垂下紐３、３・・・を介して多数の雛５、５・・・を吊持させてなる点においては、従来のつるし雛と同様である。
【００１２】
即ち、吊持手段１に複数本の垂下紐３、３・・・を取り付け、各垂下紐３に単数又は複数の雛５を取り付ける。
【００１３】
図１においては、雛５として、雛人形のみならず、動物、玩具、道具、乗り物、衣類、食物等を模して形成された飾り具を垂下紐３、３・・・に取り付けている。
【００１４】
雛５を垂下紐３に取り付ける際には、垂下紐３を雛５に貫通させてもよいが、雛５を垂下紐３に縫着し、縛着し、又は接着してもよい。
【００１５】
しかして、本考案においては、吊持手段１は、枠体７に吊下紐９を取り付け、該枠体７と吊下紐９とをカバー１１により包囲させてなるものである。
【００１６】
図示の事例における枠体７は環状体であるが、枠体７は例えば正方形状、長方形状等をなすものであっても差し支えない。
【００１７】
枠体７は、一例として、厚紙を布片により包囲してなるものとするが、枠体７は金属、合成樹脂等により形成してもよい。
【００１８】
吊下紐９は、一例として図２に示すように、枠体７に対し、平面視略十文字状に取り付ける。
【００１９】
符号１３に示すものは、吊下紐９に取り付けたフックである。このフック１３を例えば室内における適宜の支持体（図示せず。）に係止することにより、つるし雛全体を吊下げるようにしたものである。
【００２０】
なお、フック１３を用いることなく、吊下紐９を前記支持体に直接係止することにより、つるし雛全体を吊下げるようにしても差し支えない。
【００２１】
カバー１１は、つるし雛全体を吊下げたときに、枠体７と吊下紐９とを好ましく包囲するものである。
【００２２】
カバー１１は、一例として図２に示すように、略円錐状をなし、頂部に吊下紐９ないしフック１３を挿通させるための挿通孔１５を備えている。
【００２３】
カバー１１は、好ましくは布製とする。
【図面の簡単な説明】
【００２４】
【図１】本考案によるつるし雛の一例を示す斜視図である。
【図２】同上つるし雛における吊持手段を示す斜視図である。
【図３】同上吊持手段を示す断面図である。
【符号の説明】
【００２５】
１  吊持手段
３  垂下紐
５  雛
７  枠体
９  吊下紐
１１  カバー
１３  フック
１５  挿通孔
【図１】
0003108110.tif 000003
【図２】
0003108110.tif 000004
【図３】
0003108110.tif 000005
(57)【要約】      （修正有）【課題】簡単な操作で脱着ができ、かつ耐久性があって美観を損なわない金属製バンド状装身具を提供する。【解決手段】バンド状装身具の一端Ａには、何面平坦部のほぼ中央部に突起１および前記平坦部の先端の反対側に溝４を設け、該突起の頂部２は突起の径よりやや大きい径の茸の傘状をなし、前記装身具の他端Ｂには、内面平坦部に一端Ａの該突起に見合う位置に該突起の頂部を収納し得る大きさの径の孔３を設け、かつ該突起の頂部を収納後、該孔に留めておくためのストッパー９を内部８に有する構造とし、さらに他端Ｂには、該平坦部に前記装身具と直角方向の両側に、内臓されたスプリングにより可動性の押片と、先端に下方が一端Ａの溝と嵌合し得る突状５の構造をなすことにより、一端Ａと他端Ｂとが突起と孔で連結可能となる金属製バンド状装身具。【選択図】図１
0003108115.tif 000002
【実用新案登録請求の範囲】
【請求項１】
金属製バンド状装身具において、装身具の一端Ａには、内面平坦部のほぼ中央部に突起、および前記平坦部の先端の反対側に溝を設け、該突起の項部は突起の径よりやや大きい径の茸の傘状をなし、前記装身具の他端Ｂには、内面平坦部に一端Ａの該突起に見合う位置に該突起の頂部を収納し得る大きさの径の孔を設け、かつ該突起の頂部を収納後、該孔に留めておくためのストッパーを内部に有する構造とし、さらに他端Ｂには、該平担部に前記装身具と直角方向の両側に、内臓されたスプリングにより可動性の押片と、先端に下方が一端Ａの溝と嵌合し得る突状の構造をなすことにより、一端Ａと他端Ｂとが突起と孔で連結可能となる金属製バンド状装身具。
【請求項２】
金属製バンド状装身具が腕時計用バンドである請求項１記載の金属製バンド状装身具。
【請求項３】
突起がリベット状針の形状である請求項１または２記載の金属製バンド状装身具。
【考案の詳細な説明】
【技術分野】
【０００１】
本考案は金属製バンド状装身具に関し、簡単な操作で脱着でき、かつ耐久性にすぐれたバンド状装身具に関する。
【背景技術】
【０００２】
腕時計用のバンドやネックレス等の輪状のものの連結部分の部品、方式は種々のものがあるが、特に金属製のものにおいては、金属であるため、いかに外れないようにするかが問題であり、簡単な仕掛けではすぐ外れるか、壊れて長持ちしないし、頑丈にすれば操作が煩雑か、美観が損なわれる。
【考案の開示】
【考案が解決しようとする課題】
【０００３】
本考案は従来のような頑丈で煩雑な操作ではなく、簡単な操作で連結ができ、それでいて決して外れたり、壊れたりしない連結を有する金属製バンド状装身具を得んとするものである。
【課題を解決するための手段】
【０００４】
本考案は金属製バンド状装身具において、装身具の一端には、内面平坦部のほぼ中央部に突起および前記平坦部の先端の反対側に溝を設け、該突起の頂部は突起の径よりやや大きい径の茸の傘状をなし、前記装身具の他端Ｂには、内面平坦部に一端Ａの該突起に見合う位置に該突起の頂部を収納し得る大きさの径の孔を設け、かつ該突起の頂部を収納後、該孔に留めておくためのストッパーを内部に有する構造とし、さらに他端Ｂには、該平坦部に前記装身具と直角方向の両側に内臓されたスプリングにより可動性の押片と、先端に下方が一端Ａの溝と嵌合し得る突状の構造をなすことにより、一端Ａと他端Ｂとが突起と孔で連結可能となる金属製バンド状装身具である。
【０００５】
本考案の突起は針状のもので頂部は針より太い頂部を有するものであればどのようなものでも差支えないが、孔に頂部が円滑に入り、かつストッパーで突起が抜けないものであればよく、頂部が丸く、しかも頂部の下面が水平でストッパーにより抜けにくいリベット状のものが最も好ましい。
【考案の効果】
【０００６】
本考案により簡単な操作により突起と孔がストッパーによって強固に連結され外れることはない。そして連結を外すときは押片を内側に押せば容易にストッパーのが開き外れる。この繰返しを数百回、数千回行っても毫も損耗することなく耐久性にすぐれており、連結手段が微細な仕掛けであるため細いバンド状装身具にも適用でき、ゴツイ感じを与えないので美観を害することなく、デザインによっては装飾品的な利点もある。
【考案を実施するための最良の形態】
【０００７】
本考案を図によって説明する。
バンド状装身具の一端Ａには図面平坦部のほぼ中央に突起１があり、その頂部２は茸の傘状をなしている。一方他端Ｂにはこの突起（頂部を含めて）を収納できる大きさの孔が他端Ｂの内面平坦部に、一端Ａにある突起と見合う位置に設けられており、その孔の内部に突起の頂部が抜けない径のストッパーが設けられている。
【０００８】
一端Ａと他端Ｂを連結しようとする際は一端Ａの内面に先端の反対側にある溝４に他端Ｂの先端の下部の突状部分５を当てがい一端Ａの上に他端Ｂを重ねて軽く押せば溝４と突状部５が嵌合し得るために一端Ａと他端Ｂとが連結する。
【０００９】
連結を外す際は、バンド状装身具の直角方向の両側にある、他端Ｂの平坦部に内臓されているスプリング６．６’を介して押片７．７’を内方に押せばストッパーの孔が広くなり突起の頂部２が孔から外れる。突起の頂部は径が突起より1,2mm大きければよく、それ以上ではスプリングの力も大きくせねばならず、従って押片を押す力も余分に必要となる。
【図面の簡単な説明】
【００１０】
【図１】図１は、本考案の一例である装身具の一端と他端とを結合する直前の状態を示す側面図である。
【図２】図２は、本考案の一例である装身具の一端と他端とを結合する直前の状態を示す平面図である。
【符号の説明】
【００１１】
１  突起
２  突起の頂部
３  孔
４  溝
５  溝に嵌合する突状部
６．６’  スプリング
７．７’  押片
８  他端Ｂの内部
９  ストッパー
【図１】
0003108115.tif 000003
【図２】
0003108115.tif 000004
(57)【要約】      （修正有）【課題】身につけたショールやスカーフのずれ落ちを防止するために用いることができ、さらに多用途で、使用方法も多種考えられる装身具を提供する。【解決手段】紐状部材２と、この紐状部材２の両端にそれぞれ固着された装飾部材３と、各装飾部材３に固着され衣服に係止可能な係止部材４とを具備させて装身具１を構成する。例えば、紐状部材２はチェーンあるいは皮革製とすることができる。また、例えば、係止部材４は、衣服を挟持するピンチクリップのような挟持部材、あるいは、安全ピンや、ピン・ソケットのような、衣服に突き刺すピンを有するものとすることができる。【選択図】図２
0003108157.tif 000002
【実用新案登録請求の範囲】
【請求項１】
紐状部材と、この紐状部材の両端にそれぞれ固着された装飾部材と、各装飾部材に固着された衣服に係止可能な係止部材とを具備することを特徴とする装身具。
【請求項２】
前記紐状部材がチェーンであることを特徴とする請求項１に記載の装身具。
【請求項３】
前記係止部材が、衣服を挟持する挟持部材であることを特徴とする請求項１に記載の装身具。
【請求項４】
前記係止部材が、衣服に突き刺すピンを有することを特徴とする請求項１に記載の装身具。
【考案の詳細な説明】
【技術分野】
【０００１】
この考案は、身につけたショールやスカーフのずれ落ちを防止する等の実用的用途にも適用できる装身具に関する。
【背景技術】
【０００２】
従来ショールやスカーフのずれ落ちを防ぐために、専用のショール止め具やブローチ、コサージュ等が用いられている。いずれも召し合わせたショールの一点を止める形式のもので、使用方法が限定される。  
【考案の開示】
【考案が解決しようとする課題】
【０００３】
この考案は、身につけたショールやスカーフのずれ落ちを防止するために用いることができ、さらに多用途で、使用方法も多種考えられる装身具を提供することを課題としている。
【課題を解決するための手段】
【０００４】
この考案においては、上記課題を解決するため、紐状部材と、この紐状部材の両端にそれぞれ固着された装飾部材と、各装飾部材に固着された衣服に係止可能な係止部材とを具備させて装身具を構成する。
例えば、紐状部材はチェーンあるいは皮革製とすることができる。また、例えば、係止部材は、衣服を挟持するピンチクリップのような挟持部材、あるいは、安全ピンや、ピン・ソケットのような、衣服に突き刺すピンを有するものとすることができる。
【考案の効果】
【０００５】
この考案においては、例えば、首に巻いて胸部で召し合わせたショールの左右両側にそれぞれ係止部材を係止し、紐状部材でショールの左右を連結するように使用する。この場合、胸部において、ショールの左右両側の上に、一対の装飾部材が係止され、両装飾部材間がチェーンで結ばれることで、美しい装身具となり、実用性とファッション性を兼備する。
【考案を実施するための最良の形態】
【０００６】
図面を参照してこの考案の実施の形態を説明する。図１は本考案の実施例を示す装身具の平面図、図２は装飾部材の正面図、図３は装身具の使用態様を示す装着状態の正面図である。
【０００７】
図において装身具１は、紐状部材２と、この紐状部材２の両端にそれぞれ固着された装飾部材３と、各装飾部材３に固着された係止部材４とを具備する。係止部材４は、衣服に係止することができる。
【０００８】
図示の実施形態において、紐状部材２は、チェーンで構成されるが、これに限定されるものではなく、皮革、布等、種々の材料を用いることができる。装飾部材３は、あらゆる材質、デザインのものを適用することができる。
【０００９】
係止部材４としては、図示のピンチクリップのような、衣服を挟持する挟持部材の他に、衣服に突き刺すピンを有するもの等、公知の各種形式のものを用いることができる。
【００１０】
図３には、装身具１の使用態様を示す。（Ａ）は、首に巻いて前で交差させたショールＳの重なり部を係止部材４で一緒に止めて、肩からのずり落ちを防止するようにしたものである。（Ｂ）は、後ろから両肩に掛けて前に垂らしたショールＳの左右の縁に係止部材４と止めることで、ショールＳが左右に開かないようにしたものである。（Ｃ）は係止部４を衣服の襟周りの所望箇所に止め、鎖を垂らして専らアクセサリーとして使用する態様である。
【００１１】
その他、一方の係止部材４をショールや衣服に止め、他方の係止部材をメガネの端に止めるなど、使用者の工夫次第であらゆる使用態様が案出できる。
【産業上の利用可能性】
【００１２】
この考案は、例えば、身につけたショールやスカーフのずれ落ちを防止するなど、実用的に多用途で、ファッション的使用方法も多種考えられる装身具として利用できる。
【図面の簡単な説明】
【００１３】
【図１】本考案の実施例を示す装身具の平面図である。
【図２】装飾部材の正面図である。
【図３】装身具の使用態様を示す装着状態の正面図である。
【符号の説明】
【００１４】
１      装身具
２      紐状部材
３      装飾部材
４      係止部材
Ｓ      ショール
【図１】
0003108157.tif 000003
【図２】
0003108157.tif 000004
【図３】
0003108157.tif 000005
(57)【要約】【課題】ロール状に巻かれている、水溶性ロール式便座紙シートの切り取り部位を確実に、見た目ですぐわかる、水溶性ロール式便座紙シートを提供する。【解決の手段】切り外しを簡単にする為に、切り込み部（３）を縦中央部に、直線的に配置した事で、数ヶ所の切り外し部（４）を外すだけで、紙シート（１）の中央部が左右に開口する、叉ロールに巻かれている紙シート（１）を確実に、一枚毎に切り取れるよう、切り取り部に、ミシン目の他に、各種の穴の形状を応用した、切り取り線の部分に、色や印など添えた事を特徴とする。【選択図】図２
0003108160.tif 000002
【実用新案登録請求の範囲】
【請求項１】
洋式便器の便座に対応した形状に形成された水溶性ロール式便座紙シート（以後「紙シート」）（１）であって、紙シート（１）の横の面（２）の２分の１の縦中央切り込み（３）線に複数の、切り外し部（４）を設け、切り込み部（３）は、紙シート（１）の両端部に向けて切り込まれており、両端部の切り込み部（３）を、はさむように、切り外し部（４）を残して、Ｃ字型の切り込み（５）がある、該紙シート（１）は、紙シート（１）を、ロール（６）より切り取りやすくするために、一枚毎に、ミシン目又は穴をミシン目状にあけたものである、水溶性ロール式便座紙シート。
【請求項２】
紙シート（１）面の切り外し部（４）及び、紙シート（１）を一枚毎に、切り取るために付けられた、ミシン目やミシン目状の穴の切り取り部（７）に見た目でもわかるように、色及び印を添える、請求項１記載の水溶性ロール式便座紙シート。
【考案の詳細な説明】
【技術分野】
【０００１】洋式便器の便座に対応した形状の水溶性ロール式便座紙シートに関するものである。
【背景技術】
【０００２】今までに出願されている、ロール式便座紙シートには一枚毎にロールより、紙シートを切り取る部分には、ミシン目が入れられているだけである。
【考案の開示】
【考案が解決しようとする課題】
【０００３】これには次のような欠点があった。
紙シートを一枚毎に、的確に切り取り位置で、切り取るには、ミシン目だけでは、分かりずらかった。
【課題を解決するための手段】
【０００４】ロール状に巻かれている紙シートを、一枚毎に的確な位置で切り取るには、ミシン目のような、切れ目でなくミシン目状に、穴をあける、叉より切り取り部が、分かりやすくするために、ミシン目や切り取り穴及び切り取り部分に、見た目でも分かるように、色及び印を添える。
【考案の効果】
【０００５】本考案の水溶性ロール式便座紙シートは、紙シートの縦中央に切り込み線を入れるため、数ヶ所を切り外すだけで、紙シートの縦中央部が左右に開口するために、便座に敷いても左右のバランスがよい、叉紙シートをロールから切り取る時、ミシン目でも色や印など添えることで、切り取り部分を明確に示す事が出来る様になり、弱視の人々にも使用して頂ける。
【考案を実施するための最良の形態】
【０００６】以下を考案の実施するための最良の形態に付いて図に基づいて説明する。
この水溶性ロール便座紙シート（以後「紙シート」）（１）と称するものである、紙シート（１）の横の面（２）の２分の１の縦中央切り込み（３）線に、複数の切り外し部（４）を入れる、切り込み（３）部分は、紙シート（１）の両端部に向けて切り込まれており、両端部の切り込み（３）部を、はさむように、切り外し部（４）を残して、Ｃ字型の切り込み（５）を入れる、紙シート（１）は、ロール（６）状に巻かれているので、ロール（６）から、一枚毎に切り取るために付けられた、ミシン目などの、切り取り（７）部、及び紙シート（１）面の切り外し（４）部分に、色や印が付けられた、切り外し部（４）を切り外し、Ｃ字型の切り込み（５）と縦中央切り込み（３）の切り外し（４）部分を、指で切り外すと、紙シート（１）の縦中央切り込み（３）線より左右に開口する、開口した紙シート（１）を、便座（８）の縦、横方向を合せて紙シート（１）を敷けばよい。
【実施例】
【０００７】ロール（６）から、一枚毎に切り取るミシン目変わりのために付けられた、切り取り部（７）の穴は、丸、三角、四角などいろいろな形を応用したものでもよい。【０００８】ロール（６）から一枚毎に切り取るために付けられた、切り取り部（７）に付けられる目印の色は、何色でもよい又、印も如何なる形状の印でもよい。
【図面の簡単な説明】
【０００９】
【図１】「紙シートを取り付けた便器の断面図である。」
【図２】「ホルダーより、紙シートを引き出した、斜視図である。」
【図３】「便座に取り付ける、紙シートの方向性を示す斜視図である。」
【符号の説明】
【００１０】１    紙シート
２    紙シート横の面
３    切り込み部
４    切り外し部
５    Ｃ字型の切り込み
６    ロール
７    色、印など付けられた切り取り部
８    便座
９    便座フタ
１０  便器
１１  開口部
１２  ホルダー
１３  ホルダーカバー
【図１】
0003108160.tif 000003
【図２】
0003108160.tif 000004
【図３】
0003108160.tif 000005
(57)【要約】      （修正有）【課題】環境と人間に優しい竹材を眼鏡フレームのテンプルに利用する。【解決手段】竹材を繊維方向に沿って細長く茶筅状に切断し、その繊維状にした竹の両端をプラスチック等でできたヨロイとモダンという眼鏡フレームの部品により、数本に分けた竹繊維を束ねて固定する。繊維状にする事により折り曲げた場合の内部が分散しやすくなり、弾力性を上げる事ができ、束ねる繊維の太さや本数によって弾性の強さや耐久性もコントロール可能となる。また、繊維状にする事により竹材の表面積が増え、材材の繊維内部に水分を吸収しても乾燥しやすくなる。【選択図】図１
0003108159.tif 000002
【実用新案登録請求の範囲】
【請求項１】
竹材を繊維方向に沿って細長く茶筅状に切断して複数本束ね、竹材の保水量を少なくさせカビ等の発生しない状態する事を特徴とした眼鏡フレームテンプル。
【考案の詳細な説明】
【技術分野】
【０００１】
本考案は、竹材を眼鏡フレームのテンプルとして利用するための製造方法である。
【背景技術】
【０００２】
眼鏡フレームは素材としては金属、プラスチック材に分けられ、デザインや材料の特性を考慮してこの2種類のどちらかを選定している。
【０００３】
天然素材である竹材は金属やプラスチック材と違い、製造上発生する素材ゴミや製品の廃棄処理等を考えると環境にやさしく材料である。また、人間への金属アレルギーに対策としても有効である。
【０００４】
しかし、竹材を眼鏡フレームに使用することでは、頭部から発生する汗を繊維内に吸収し、その水分によりカビ等の発生しやすい衛生上良くない状態になっている。
【特許文献１】特開２００２−１３９７０９号公報
【考案の開示】
【考案が解決しようとする課題】
【０００５】
竹材の弾力性を生かしながら、繊維内に吸収された水分を空気中に放出しやすい形状に加工する。
【課題を解決するための手段】
【０００６】
竹材を繊維方向に沿って細長く茶筅状に切断し、その繊維状にした竹の両端をプラスチック材等で複数本束ね固定し、竹繊維がバラバラに分裂するのを防止する。
【考案の効果】
【０００７】
繊維状にする事により折り曲げた場合の内部が分散しやすくなり、弾力性を上げる事が可能である。また、束ねる繊維の太さや本数によって弾性の強さや耐久性をコントロールもできる。
【０００８】
また、繊維状にする事により空気に接触する表面積が増え、竹材の繊維内部に水分を吸収しても乾燥しやすい状態を作る事が出来る。
【実施例】
【０００９】
以下、添付図面に従って一実施例を説明する。Ａは竹材のテンプルの部品で、竹繊維と同方向に細長く数本に切断する。そのテンプルＡの両端をプラスチック等でできたヨロイＢとモダンＣという眼鏡フレームの部品により、数本に分けた竹繊維を束ねて固定する。
【図面の簡単な説明】
【００１０】
【図１】本考案の竹材テンプル付眼鏡フレームの一実施例を示す側面図である。
【図２】本竹材テンプルの部品図である。
【符号の説明】
【００１１】
Ａ    竹材テンプル
Ｂ    ヨロイ
Ｃ    モダン
【図１】
0003108159.tif 000003
【図２】
0003108159.tif 000004
(57)【要約】      （修正有）【課題】パッキンによる容器と蓋との間の封止性の内圧による低下を抑止し、繰り返し装着することを可能とする効果を有するパッキンを提供する。【解決手段】パッキンの容器の口部分と蓋との間に挟まれる周縁部よりも内側に屈曲部を設け、容器内の圧力上昇による蓋とパッキンとの膨らみ変形により、容器の口部分と蓋との間に挟まれている周縁部が内側に引っ張られてずれ、封止性が低下することを防止することに追加して、周縁部よりも内側に設けた屈曲部にリブを設ける。【選択図】図4
0003108151.tif 000002
【実用新案登録請求の範囲】
【請求項１】
缶などの容器の口部分と蓋との間に挿入し、容器と蓋との間の封止性を高めるプラスチックやゴムなどの素材からなるパッキンであって、容器の口部分と蓋との間に挟まれて締め付けられる周縁部よりも内側に１以上の屈曲部を設け、該屈曲部にリブを設けたことを特徴とするパッキン。
【考案の詳細な説明】
【技術分野】
【０００１】
本考案は、主として缶などの容器の口部分と蓋との間に挿入し、缶と蓋との間の封止性を高めるプラスチックやゴムなどの素材からなるパッキンについての考案、実用新案登録第３１０３７０７号の改良に関するものである。
【背景技術】
【０００２】
エンジンオイル、ワックス類、塗料、シンナー、食用油など多種類の製品が金属製の缶を容器とし、外周に切り込み溝のある蓋を用いて封止され、その輸送や保管がなされている。缶と蓋との間に通常プラスチック製のパッキンが挿入されその封止性が高められている。
【０００３】
揮発性のある内容物が収納されている場合はもとより、輸送や保管中の外気温によっては容器内の圧力が上昇し蓋部分が内部から押し上げられる場合が発生する。容器と蓋との間の封止性を高めるためのパッキンは通常回転体形状をしており、図８にその断面形状の一例を示す。容器内の圧力上昇によりパッキンを含む蓋部分が内圧によりふくらみ変形し、容器と蓋との間の封止性が損なわれる場合があるのが現状である。
【０００４】
これに対して、特許文献１に示される、考案がなされた。
【特許文献１】実用新案登録第３１０３７０７号
【考案の開示】
【考案が解決しようとする課題】
【０００５】
従来、パッキンは内圧により押し上げられて周辺部が引っ張られて封止性が損なわれていた。その点については実用新案登録第３１０３７０７号考案により、パッキンが内圧によって押し上げられた場合、周縁部を内側に引っ張らないように、屈曲部を設けることにより改善されたが、同考案の利点であるパッキン中央部の柔らかさのために、パッキンを蓋に繰り返し装着した場合、逆に装着性が悪いという問題が発生した。
【０００６】
図５は実用新案登録第３１０３７０７号考案によるパッキンの正面図、図６は上面図、図７は下面図、図８は断面図である。
【０００７】
屈曲部２は、内圧によってパッキンが押し上げられた場合、縁１の部分が内方に引っ張られることを防止する作用をするが、繰り返し装着する場合、その柔らかさの影響で縁１の位置が不安定となり装着性低下の原因となる。
【課題を解決するための手段】
【０００８】
課題を解決する手段として、屈曲部にリブを設けた。
【考案の効果】
【０００９】
パッキンが内圧によって外方に押し上げられても、屈曲部は弱い力でも変形し得るため、全体の形状が変形した際に、パッキン自体で変形する部分はその屈曲部に限定され、封止に重要な役割を果たしている周縁部分を引っ張ることは発生しない。さらに屈曲部２にリブ３を設け、蓋に接するようにしたことにより、蓋にパッキンを装着した際の位置が確実に定まる。従って本考案はパッキンによる容器と蓋との間の封止性の内圧による低下を抑止し、繰り返し装着することを可能とする効果を有する。
【考案を実施するための最良の形態】
【００１０】
リブの寸法は、概ね蓋の面に接すればよいが、パッキンに外力を加えない状態で、リブの位置が他の部分よりほんの少し高くなる程度が最良である。
【実施例１】
【００１１】
図１に本考案の実施例の正面図を、図２に本考案の実施例の上面図を、図３に本考案の実施例の下面図を、図４に断面を示す。側面は正面と同一となる。
【産業上の利用可能性】
【００１２】
本考案のパッキンは、以上述べたように、大量に使用されている金属性の容器と蓋との間の封止性を向上し、その装着性に益するため、産業上利用されることは明白である。
【図面の簡単な説明】
【００１３】
【図１】本考案によるパッキンの実施例の正面図である。
【図２】本考案によるパッキンの実施例の上面図である。
【図３】本考案によるパッキンの実施例の下面図である。
【図４】本考案によるパッキンの実施例の断面図である。
【図５】実用新案登録第３１０３７０７号考案のパッキンの正面図である。
【図６】実用新案登録第３１０３７０７号考案のパッキンの上面図である。
【図７】実用新案登録第３１０３７０７号考案のパッキンの下面図である。
【図８】実用新案登録第３１０３７０７号考案のパッキンの断面図である。
【符号の説明】
【００１４】
１    周縁部
２    屈曲部
３    リブ
【図１】
0003108151.tif 000003
【図２】
0003108151.tif 000004
【図３】
0003108151.tif 000005
【図４】
0003108151.tif 000006
【図５】
0003108151.tif 000007
【図６】
0003108151.tif 000008
【図７】
0003108151.tif 000009
【図８】
0003108151.tif 000010
(57)【要約】【課題】    この考案は自然災害時の緊急避難者に誰にでも簡単に組立ができ多数の人々の最低限のプライバシーを守るための間仕切りに関するものである。【解決手段】    防炎、防火加工済みの段ボール、軽量プラスチック素材のパネルにネジ、ボルトが不要な差し込み式の接続板、器具を取り付け簡単に短時間に組み立てられるようにした。必要に応じ接続ピンの使用も可能。使用後は再生用の資源ゴミとして廃棄できる。【選択図】    図１
0003108592.tif 000002
【実用新案登録請求の範囲】
【請求項１】
段ボール製、軽量プラスチック製、それらに類する紙製品に準ずる素材で出来たパネル（１）とそれらを接続し、自立させる為の接続器具（２）（３）（４）（５）（６）からなるパーテーション。
【考案の詳細な説明】
【考案の詳細な説明】
【考案が解決しようとする課題】
【０００１】  従来、いわゆるパーテーションは、事務所、倉庫、家屋の中の間仕切りで長期に使用する目的でスチール、木材、アルミ、ガラス、プラスチック素材などを利用しての存在はしていたが、重量、大きさ、持ち運びなど専門の業者でないと組立解体が出来ないという問題を有し、緊急時の利用には不向きであった。
【課題を解決するための手段】
【０００２】  上述の問題点を解決するために本考案は素材を防炎、防火処理した段ボール又は軽量プラスチックなどの再生可能な材料を使用し、ネジ、ボルトを使わず総てはめ込み、組み立て式で素人でも簡単に短時間で組立が出来るようにし、広さも自由に人数に合わせてレイアウトできる。
また、接続部分も軽量プラスチック、または段ボールなどに類する同等品で作製し、パネルとの接続を強固にする為には、はめ込み式接続具（６）等か同等品を用い、臨機応変に対応できる。。
【考案の効果】
【０００３】  台風、地震、その他災害時に家屋を失い避難所生活を強いられる人々が多数出るが、その際、最低限のプライバシーを守るスペースを設ける事により、睡眠、着替え、授乳、トイレなど精神的、肉体的にも安定した避難生活を送る事が出来る。また、使用後は再生資源としても利用できるので無駄がない。
【図面の簡単な説明】
【０００４】
【図１】パネルと接合器具を組み立てた上面図
【図２】パネルと接合器具とを組み立てた側面図
【図３】パネルを接続する器具の上面図と接続ピンの側面図
【符号の説明】
【０００５】１  パネル
２  コーナー用接続板
３  左右取り付けよう接続板
４  十字型（クロス用）接続板
５  Ｔ字型接続板
６  パネルと接続板との結合接続ピン
【図１】
0003108592.tif 000003
【図２】
0003108592.tif 000004
【図３】
0003108592.tif 000005